(57)【要約】  【課題】  利便性を低下させることなく無線部の電源供給を停止して起動できる通信端末装置を提供する。  【解決手段】  無線通信を行う無線部１１と、ユーザ操作を行う操作部１５と、情報を表示する表示部１４とを備え、無線部１１の電源供給を停止した状態で起動して、無線部１１に電源供給して無線通信を行う通常モードと、無線部１１に電源供給を行わずに無線通信以外の機能を行うセルフモードとを選択するモード選択画面を表示部１４に表示し、ユーザ操作により各モードを選択して実行できるようにした。【選択図】      図３
2005348023.tif 000002
【特許請求の範囲】
【請求項１】
無線通信を行う無線部と、ユーザ操作を行う操作部と、情報を表示する表示部とを備え、前記無線部の電源供給を停止した状態で起動して、前記無線部に電源供給して無線通信を行う第１モードと、前記無線部に電源供給を行わずに無線通信以外の機能を行う第２モードとを選択するモード選択画面を前記表示部に表示し、ユーザ操作により第１、第２モードを選択して実行することを特徴とする通信端末装置。
【請求項２】
前記モード選択画面表示後、操作が行われずに所定時間経過した際に第１モードを実行することを特徴とする請求項１に記載の通信端末装置。
【請求項３】
第１モードを実行中に第２モードを選択できるとともに、次回起動時に第２モードを選択状態で前記モード選択画面を表示することを特徴とする請求項１または請求項２に記載の通信端末装置。
【請求項４】
ユーザ操作により通信を指示する通信指示手段を設け、第２モード実行中に前記通信指示手段を操作することにより第１モードに切り替えて実行することを特徴とする請求項１〜請求項３のいずれかに記載の通信端末装置。
【発明の詳細な説明】
【技術分野】
【０００１】
本発明は、無線通信機能を停止して他の機能を実行できる通信端末装置に関する。
【背景技術】
【０００２】
携帯電話機等の無線通信を行う携帯型の通信端末装置は、飛行機内、病院内、電車内等において無線電波の発信が規制されており電源を停止する必要がある。このため、無線通信機能を停止してメモ機能やゲーム機能等の他の機能を実行できるセルフモードを備えた通信端末装置が知られている。
【０００３】
特許文献１には無線通信機能を停止する通信停止キーを設けた携帯電話機が開示されている。この携帯電話機は、使用中に通信停止キーを押下することにより無線通信を行う無線部の電源供給を停止する。これにより、セルフモードを実行することができる。
【特許文献１】特開平１１−３０８１６３号公報（第３頁−第７頁、第６図）
【発明の開示】
【発明が解決しようとする課題】
【０００４】
しかしながら、上記従来の通信端末装置によると、通信端末装置の起動時に電源が投入されると無線部にも一端電源が供給され、その後通信停止キーの操作により無線部の電源供給を停止する必要がある。このため、無線電波の発信が規制された場所で無線電波が一時的に発信されてしまう問題があった。また、通信停止キーを押下しながら電源キーを操作することにより無線部の電源供給を停止した状態で起動することも可能である。しかしながら、電源投入時に通常と異なる操作を必要とするためユーザが操作を忘れたり操作が複雑になるため携帯電話機の利便性が低下する問題があった。
【０００５】
本発明は、利便性を低下させることなく無線部の電源供給を停止して起動できる通信端末装置を提供することを目的とする。
【課題を解決するための手段】
【０００６】
上記目的を達成するために本発明は、無線通信を行う無線部と、ユーザ操作を行う操作部と、情報を表示する表示部とを備え、前記無線部の電源供給を停止した状態で起動して、前記無線部に電源供給して無線通信を行う第１モードと、前記無線部に電源供給を行わずに無線通信以外の機能を行う第２モードとを選択するモード選択画面を前記表示部に表示し、ユーザ操作により第１、第２モードを選択して実行することを特徴としている。
【０００７】
この構成によると、電源投入操作を行うと通信端末装置に内蔵した起動プログラムが実行される。起動プログラムは第１、第２モードを選択するモード選択画面を表示部に表示し、ユーザが操作部を操作することにより第１モードまたは第２モードを択一的に選択して実行することができる。これにより、第１モードの選択により無線部に電源供給して無線通信を行うことができるとともに、第２モードの選択により無線部の電源供給を停止し、メモ機能やゲーム機能等を行うことができる。
【０００８】
また本発明は、上記構成の通信端末装置において、前記モード選択画面表示後、操作が行われずに所定時間経過した際に第１モードを実行することを特徴としている。この構成によると、第１、第２モードを選択操作を行わずに放置すると、所定時間経過後に自動的に第１モードが実行される。
【０００９】
また本発明は、上記構成の通信端末装置において、第１モードを実行中に第２モードを選択できるとともに、次回起動時に第２モードを選択状態で前記モード選択画面を表示することを特徴としている。この構成によると、通信可能な第１モードを実行中に所定の操作を行うと第２モードに移行し、第２モードの設定状態が記憶される。次回電源を投入すると、モード選択画面には第２モードを選択した状態を明示して表示される。ユーザーは選択操作を行うことなく選択決定の操作を行うだけで第２モードを実行することができる。
【００１０】
また本発明は、上記構成の通信端末装置において、ユーザ操作により通信を指示する通信指示手段を設け、第２モード実行中に前記通信指示手段を操作することにより第１モードに切り替えて実行することを特徴としている。この構成によると、通信を指示するオフフックキー等の通信指示手段を第２モード実行中に操作すると、無線通信を行うことができる。
【発明の効果】
【００１１】
本発明によると、無線部に電源供給して無線通信を行う第１モードと、無線部に電源供給を行わずに無線通信以外の機能を行う第２モードとを選択するモード選択画面を表示し、第１、第２モードを択一的に選択して実行することができるので、起動時に無線部に電源を供給することなく他の機能を実行することができる。また、通常の通信を行う際と同じ操作により無線部の電源供給停止を選択できるので、操作を忘れたり複雑な操作を必要とせず、通信端末装置の利便性を低下させることがない。
【００１２】
また本発明によると、モード選択画面表示後、操作が行われずに所定時間経過した際に第１モードを実行するので、使用頻度の高い無線通信を行う第１モードを実行する場合の操作性を向上することができる。
【００１３】
また本発明によると、第１モードを実行中に第２モードを選択できるとともに、起動時に第２モードを選択状態でモード選択画面を表示するので、第２モードを実行した後に再度電源を投入した場合に無線通信が規制されている可能性が高いため、第２モードを選択する操作を省いて操作性を向上することができる。
【００１４】
また本発明によると、第２モード実行中にオフフックキー等の通信指示手段を操作することにより第１モードに切り替えて実行するので、使用頻度の高い無線通信時の操作性の低下を防止することができる。
【発明を実施するための最良の形態】
【００１５】
以下に本発明の実施形態を図面を参照して説明する。図１は一実施形態の通信端末装置の外観を示す斜視図である。通信端末装置１は折り畳み式の携帯電話機から成り、一方の筐体に配される表示部１４と、他方の筐体に配される操作部１５とを有している。表示部１４は液晶パネル等から成り、動作状況等の情報画面を表示する。
【００１６】
操作部１５は決定キー４１、十字キー４２、オンフックキー４３、オフフックキー４４、文字キー４５等の複数のキーから成り、通信操作や設定操作を行う。決定キー４１は表示部１４に表示された選択項目の選択を決定する。十字キー４２は表示部１４上のカーソルを上下左右に移動し、表示部１４に表示された選択項目を選択する。オンフックキー４３は終話動作や処理終了を実行する。オフフックキー４４は発信動作を実行する。文字キー４５は相手先情報等を入力する。
【００１７】
図２は通信端末装置１の構成を示すブロック図である。通信端末装置１は各部の動作を制御する制御部１２を有し、制御部１２には無線部１１、表示部１４、操作部１５、電源部１８、入力部１６、出力部１７、記憶部１３が接続されている。無線部１１はアンテナ１９を有し、電話回線を通じて電話や電子メールを行うための無線通信を実行する。
【００１８】
電源部１８は通信端末装置１の各部を駆動させるための電力の供給や、電池の充電等を行う。入力部１６は外部からの音声入力、画像入力、データ入力等を行う。出力部１７は外部への音声出力、データ出力等を行う。記憶部１３は通信端末装置１を制御するプログラムや各種設定情報を記憶する。
【００１９】
図３は上記構成の通信端末装置１の起動時に実行される起動プログラムの動作を示すフローチャートである。オンフックキー４３を所定時間、長押しすることにより制御部１２に電源供給され、起動プログラムが呼び出される。この時、無線部１１には電源が供給されていない状態になっている。尚、一般の携帯電話機に電源投入を行う操作と同様の操作により通信端末装置１を起動するので複雑な操作を覚える必要がなく操作性の低下を防止することができる。オフフックキー４４の長押しにより起動プログラムを実行してもよい。
【００２０】
ステップ＃１１では図４に示すように、表示部１４にモード選択画面が表示される。モード選択画面は、機能を制限して実行する複数の制限モード３２がリストアップされるとともに、設定完了３３、終了３４の各項目を有している。制限モード３２はマナーモード、ドライブモード、セルフモード、ダイヤルロックモードから成っている。
【００２１】
マナーモードは音鳴動を禁止する。ドライブモードはバイブレーション鳴動及び音の鳴動を禁止するとともに、ユーザによる操作がない時にＬＥＤを点灯する。セルフモード（第２モード）は無線部１１の電源供給を停止して無線電波通信を禁止する。ダイヤルロックモードはダイヤル操作を禁止する。
【００２２】
制限モード３２の選択は設定完了３３の項目を指示することにより決定される。各制限モード３２にはチェックボックス３２ａが設けられる。十字キー４２を操作してカーソルが各制限モード３２上に配された状態で決定キー４１を押下すると選択したモードのチェックボックス３２ａがオンになる。そして、カーソルを設定完了３３上に配置して決定キー４１を押下すると制限モード３２の選択が完了する。
【００２３】
また、制限モード３２を選択に拘わらず終了３４の項目を指示すると機能が制限されず、無線通信を行うことのできる通常モード（第１モード）が実行される。また、オンフックキー４３の押下によっても同様に通常モード（第１モード）を実行できるようになっている。これにより、カーソル移動させることなく一の操作で使用頻度の高い通常モードを実行することができる。
【００２４】
ステップ＃１２では制限モード及び通常モードから一のモードが選択されたか否かが判断される。モードが選択された場合はステップ＃１５に移行し、モードが選択されない場合はステップ＃１３に移行する。ステップ＃１３では起動後所定時間が経過したか否かが判断される。所定時間が経過しない場合はステップ＃１２に戻り、ステップ＃１２、＃１３が繰り返し行われる。
【００２５】
所定時間が経過した場合は、ステップ＃１４に移行する。ステップ＃１４では通常モードが選択されたと制御部１２が判断し、通常モードを選択したことを示すフラグが所定の変数に代入される。これにより、電源投入後放置すると使用頻度の高い通常モードが実行され、通常モードの選択する操作を省いて操作性を向上することができる。
【００２６】
ステップ＃１５では選択された各モードを記憶部１３で記憶する。これにより、次回起動時において選択したモードのチェックボックス３２ａがチェックされ、選択操作を省略することができる。尚、通常モードを選択した場合は次回起動時に全てのチェックボックス３２ａのチェックが外される。
【００２７】
ステップ＃１６では無線通信を規制するセルフモードが選択されたか否かが判断される。セルフモードが選択されていない場合はステップ＃１７で無線部１１に電源が供給される。セルフモードが選択された場合は無線部１１に電源を供給しないままステップ＃１８に移行する。そして、ステップ＃１８では各選択されたモードのプログラムが呼び出されて実行される。
【００２８】
また、各モードの実行時に所定のキー操作により設定メニューを表示して設定操作を行うことができる。この時、セルフモードを設定すると、無線部１１の電源供給が停止され、セルフモードを記憶部１３で記憶する。これにより、次回起動時に無線通信が規制される可能性が高いため、起動時にセルフモードのチェックボックス３２ａがチェックされ、選択操作を省略することができる。
【００２９】
また、セルフモードの実行時にオフフックキー４４（通信指示手段）を押下すると無線部１１に電源が供給され、無線通信することができるようになっている。これにより、特別な操作を行うことなく無線通信を行うことができ、使用頻度の高い無線通信を行う際の操作性を向上することができる。
【００３０】
本実施形態によると、通信端末装置１の起動時に、無線部１１に電源供給して無線通信を行う通常モードと、無線部１１に電源供給を行わずに無線通信以外の機能を行うセルフモードとを選択するモード選択画面を表示し、各モードを選択して実行することができるので、起動時に無線部１１に電源を供給することなく他の機能を実行することができる。また、オンフックキー４３の長押しによる通常の通信を行う際と同じ操作により無線部１１の電源供給停止を選択できるので、操作を忘れたり複雑な操作を必要とせず、通信端末装置１の利便性を低下させることがない。
【産業上の利用可能性】
【００３１】
本発明は、携帯電話機、コードレス電話機、ＰＨＳ等の通信端末装置に用いることができる。
【図面の簡単な説明】
【００３２】
【図１】本発明の実施形態の通信端末装置の外観を示す斜視図
【図２】本発明の実施形態の通信端末装置の構成を示すブロック図
【図３】本発明の実施形態の通信端末装置の動作を示すフローチャート
【図４】本発明の実施形態の通信端末装置のモード選択画面を示す図
【符号の説明】
【００３３】
１    通信端末装置
１１    無線部
１２    制御部
１３    記憶部
１４    表示部
１５    操作部
１６    入力部
１７    出力部
１８    電源部
１９    アンテナ
３２    制限モード
【図１】
2005348023.tif 000003
【図２】
2005348023.tif 000004
【図３】
2005348023.tif 000005
【図４】
2005348023.tif 000006